(57)【要約】【課題】電力値が異なる交流電力を好適に送電可能な送電機器及び非接触電力伝送装置を提供すること。【解決手段】送電機器１１は、系統電力を第１直流電力値Ｐ１の直流電力に変換可能なＡＣ／ＤＣ変換器１２ａと、直流電力を交流電力に変換し、その交流電力を送電器１３（１次側コイル１３ａ）に出力するＤＣ／ＡＣ変換器１２ｂとを備えている。ここで、送電機器１１は、送電側コントローラ１４等に電力供給を行うものであって第１直流電力値Ｐ１よりも小さい第２直流電力値Ｐ２の直流電力を出力可能な制御電源３０と、ＤＣ／ＡＣ変換器１２ｂの電力の入力元を、ＡＣ／ＤＣ変換器１２ａ又は制御電源３０に切り替える切替リレー３４とを備えている。【選択図】図１
2015186377.tif 000002
【特許請求の範囲】
【請求項１】
外部電力を第１直流電力に変換可能な第１変換部、及び、直流電力が入力された場合に当該直流電力を予め定められた周波数の交流電力に変換して出力する第２変換部を有する交流電源と、
前記交流電力が入力される１次側コイルと、
を備え、２次側コイルを有する受電機器の前記２次側コイルに対して非接触で前記交流電力を送電可能な送電機器であって、
当該送電機器に搭載された制御部に電力供給を行うものであって、前記第２変換部に対して前記第１直流電力よりも電力値が小さい第２直流電力を出力可能な制御電源と、
前記第２変換部の電力の入力元を、前記第１変換部又は前記制御電源に切り替える切替部と、
を備え、
前記第２変換部は、前記第１変換部から前記第１直流電力が入力されている場合には前記交流電力として第１交流電力を出力し、前記制御電源から前記第２直流電力が入力されている場合には前記交流電力として前記第１交流電力よりも電力値が小さい第２交流電力を出力することを特徴とする送電機器。
【請求項２】
前記制御電源は、前記第２変換部の電力の入力元が前記制御電源となっている場合には、前記制御部への電力供給を行いつつ、前記第２変換部に前記第２直流電力を出力する請求項１に記載の送電機器。
【請求項３】
前記第２変換部の電力の入力元が前記制御電源である場合に、前記１次側コイルから前記２次側コイルへの電力伝送が行われているか否かを判定する伝送判定が行われ、
前記伝送判定によって前記１次側コイルから前記２次側コイルへの電力伝送が行われていると判定された場合には、前記第２変換部の電力の入力元が前記制御電源から前記第１変換部に切り替わる請求項１又は請求項２に記載の送電機器。
【請求項４】
前記制御電源からの電力供給に基づいて動作するものであって前記第２変換部を冷却する冷却部を備え、
前記第２変換部の電力の入力元が前記制御電源である場合には、前記制御電源から前記冷却部への電力供給は停止している請求項１〜３のうちいずれか一項に記載の送電機器。
【請求項５】
外部電力を第１直流電力に変換可能な第１変換部、及び、直流電力が入力された場合に当該直流電力を予め定められた周波数の交流電力に変換して出力する第２変換部を有する交流電源と、
前記交流電力が入力される１次側コイルと、
前記１次側コイルに入力される前記交流電力を非接触で受電可能な２次側コイルと、
前記交流電源及び前記１次側コイルを有する送電機器に搭載された制御部に電力供給を行うものであって、前記第１直流電力よりも電力値が小さい第２直流電力を出力可能な制御電源と、
前記第２変換部の電力の入力元を、前記第１変換部又は前記制御電源に切り替える切替部と、
を備え、
前記第２変換部は、前記第１変換部から前記第１直流電力が入力されている場合には前記交流電力として第１交流電力を出力し、前記制御電源から前記第２直流電力が入力されている場合には前記交流電力として前記第１交流電力よりも電力値が小さい第２交流電力を出力することを特徴とする非接触電力伝送装置。
【発明の詳細な説明】
【技術分野】
【０００１】
本発明は、送電機器及び非接触電力伝送装置に関する。
【背景技術】
【０００２】
電源コードや送電ケーブルを用いない非接触電力伝送装置として、例えば、予め定められた周波数の交流電力を出力する交流電源、及び、当該交流電力が入力される１次側コイルを有する送電機器と、１次側コイルから非接触で交流電力を受電可能な２次側コイルを有する受電機器とを備えているものが知られている（例えば特許文献１参照）。かかる非接触電力伝送装置においては、例えば１次側コイルと２次側コイルとが磁場共鳴することにより、送電機器から受電機器に非接触で交流電力が伝送される。また、特許文献１においては、受電機器は車両に搭載され、受電機器にて受電された交流電力は、車両に搭載された蓄電装置の充電に用いられる。
【先行技術文献】
【特許文献】
【０００３】
【特許文献１】特開２００９−１０６１３６号公報
【発明の概要】
【発明が解決しようとする課題】
【０００４】
ここで、例えば本格的な電力伝送を行う前段階にて、交流電源から交流電力を出力することにより、送電機器から受電機器への電力伝送が正常に行われるか否かの判定を行いたい場合がある。交流電源への負担や電力損失などの観点から、上記判定時には、交流電源から出力される交流電力の電力値は小さい方が好ましい場合がある。一方、蓄電装置の充電時間の短縮化等の観点に着目した場合、蓄電装置の充電時には、交流電源から出力される交流電力の電力値は大きい方が好ましい場合がある。
【０００５】
これに対して、例えば交流電源が、外部電力を直流電力に変換する第１変換部と、直流電力を上記交流電力に変換する第２変換部とを備えている場合には、上記相反する要求に応えるべく、第１変換部によって変換される直流電力の電力値を可変制御することにより、交流電力の電力値を可変にすることも考えられる。しかしながら、第１変換部における電力値の可変制御にも限界があり、上記相反する要求に十分に対応できない場合がある。
【０００６】
本発明の目的は、上述した事情を鑑みてなされたものであり、電力値が異なる交流電力を好適に送電可能な送電機器及び非接触電力伝送装置を提供することである。
【課題を解決するための手段】
【０００７】
上記目的を達成する送電機器は、外部電力を第１直流電力に変換可能な第１変換部、及び、直流電力が入力された場合に当該直流電力を予め定められた周波数の交流電力に変換して出力する第２変換部を有する交流電源と、前記交流電力が入力される１次側コイルと、を備え、２次側コイルを有する受電機器の前記２次側コイルに対して非接触で前記交流電力を送電可能なものであって、当該送電機器に搭載された制御部に電力供給を行うものであって、前記第２変換部に対して前記第１直流電力よりも電力値が小さい第２直流電力を出力可能な制御電源と、前記第２変換部の電力の入力元を、前記第１変換部又は前記制御電源に切り替える切替部と、を備え、前記第２変換部は、前記第１変換部から前記第１直流電力が入力されている場合には前記交流電力として第１交流電力を出力し、前記制御電源から前記第２直流電力が入力されている場合には前記交流電力として前記第１交流電力よりも電力値が小さい第２交流電力を出力することを特徴とする。
【０００８】
かかる構成によれば、第２変換部の電力の入力元が第１変換部であり、第１変換部から第２変換部に対して比較的電力値が大きい第１直流電力が入力されている場合には、比較的電力値が大きい第１交流電力が出力される。また、第２変換部の電力の入力元が制御電源であり、制御電源から第２変換部に対して比較的電力値が小さい第２直流電力が入力されている場合には、比較的電力値が小さい第２交流電力が出力される。これにより、第１変換部のみを用いる構成と比較して、第１交流電力及び第２交流電力の双方を好適に出力することができる。また、第２交流電力を出力させるのに、制御部に電力供給を行う制御電源を流用することにより、構成の複雑化を抑制することができる。
【０００９】
なお、「前記制御電源から前記第２直流電力が入力されている場合」とは、例えば、第２変換部と制御電源との間に、ドライバ回路に対して電力供給を行うものであって制御電源からの電力を用いて上記ドライバ回路の動作電力を生成するドライバ用電源が設けられている構成を含む。つまり、「前記制御電源から前記第２直流電力が入力されている場合」とは、制御電源と第２変換部とが直接接続されている場合や、制御電源と第２変換部とが所定の電子部品を介して接続されている場合を含む。
【００１０】
上記送電機器について、前記制御電源は、前記第２変換部の電力の入力元が前記制御電源となっている場合には、前記制御部への電力供給を行いつつ、前記第２変換部に前記第２直流電力を出力するとよい。かかる構成によれば、交流電源から第２交流電力を出力しようとして制御部への電力供給が停止されるといった不都合を回避できる。
【００１１】
上記送電機器について、前記第２変換部の電力の入力元が前記制御電源である場合に、前記１次側コイルから前記２次側コイルへの電力伝送が行われているか否かを判定する伝送判定が行われ、前記伝送判定によって前記１次側コイルから前記２次側コイルへの電力伝送が行われていると判定された場合には、前記第２変換部の電力の入力元が前記制御電源から前記第１変換部に切り替わるとよい。かかる構成によれば、比較的電力値が小さい第２交流電力を用いて伝送判定を行うことができるため、当該伝送判定に係る電力損失の軽減を図ることができる。そして、伝送判定の判定結果が肯定判定である場合には、第２変換部の電力の入力元が第１変換部に切り替わるため、送電機器から受電機器に向けて、比較的電力値が大きい第１交流電力の送電が可能となる。
【００１２】
上記送電機器について、前記制御電源からの電力供給に基づいて動作するものであって前記第２変換部を冷却する冷却部を備え、前記第２変換部の電力の入力元が前記制御電源である場合には、前記制御電源から前記冷却部への電力供給は停止しているとよい。かかる構成によれば、第２変換部の電力の入力元が制御電源である場合には、制御電源から冷却部への電力供給は停止しているため、制御電源の電力負担の軽減を図ることができる。また、第２変換部としては、第２変換部の電力の入力元が制御電源である場合には、比較的小さい電力値の第２交流電力を出力するため、第２変換部の温度上昇は比較的小さい。このため、第２変換部の過度な温度上昇を抑制しつつ、制御電源の電力負担の軽減を図ることができる。
【００１３】
上記目的を達成する非接触電力伝送装置は、外部電力を第１直流電力に変換可能な第１変換部、及び、直流電力が入力された場合に当該直流電力を予め定められた周波数の交流電力に変換して出力する第２変換部を有する交流電源と、前記交流電力が入力される１次側コイルと、前記１次側コイルに入力される前記交流電力を非接触で受電可能な２次側コイルと、前記交流電源及び前記１次側コイルを有する送電機器に搭載された制御部に電力供給を行うものであって、前記第１直流電力よりも電力値が小さい第２直流電力を出力可能な制御電源と、前記第２変換部の電力の入力元を、前記第１変換部又は前記制御電源に切り替える切替部と、を備え、前記第２変換部は、前記第１変換部から前記第１直流電力が入力されている場合には前記交流電力として第１交流電力を出力し、前記制御電源から前記第２直流電力が入力されている場合には前記交流電力として前記第１交流電力よりも電力値が小さい第２交流電力を出力することを特徴とする。
【００１４】
かかる構成によれば、第２変換部の電力の入力元が第１変換部であり、第１変換部から第２変換部に対して比較的電力値が大きい第１直流電力が入力されている場合には、比較的電力値が大きい第１交流電力が出力される。また、第２変換部の電力の入力元が制御電源であり、制御電源から第２変換部に対して比較的電力値が小さい第２直流電力が入力されている場合には、比較的電力値が小さい第２交流電力が出力される。これにより、第１変換部のみを用いる構成と比較して、第１交流電力及び第２交流電力の双方を好適に出力することができる。また、第２交流電力を出力させるのに、制御部に電力供給を行う制御電源を流用することにより、構成の複雑化を抑制することができる。
【発明の効果】
【００１５】
この発明によれば、電力値が異なる交流電力を好適に送電できる。
【図面の簡単な説明】
【００１６】
【図１】送電機器及び非接触電力伝送装置の電気的構成を示すブロック図。
【図２】送電側コントローラにて実行される充電制御処理を示すフローチャート。
【図３】設定電力値と出力電力値との関係を示すグラフ。
【図４】別例の送電機器を示すブロック図。
【発明を実施するための形態】
【００１７】
以下、送電機器（送電装置）及び非接触電力伝送装置（非接触電力伝送システム）の一実施形態について説明する。
図１に示すように、非接触電力伝送装置１０は、非接触で電力伝送が可能な送電機器１１（地上側機器、１次側機器）及び受電機器２１（車両側機器、２次側機器）を備えている。送電機器１１は地上に設けられており、受電機器２１は車両に搭載されている。
【００１８】
送電機器１１は、予め定められた周波数の交流電力を出力可能な交流電源１２を備えている。交流電源１２は、例えば電圧源であり、インフラとしての系統電源Ｅから外部電力として系統電力が入力された場合に、当該系統電力を交流電力に変換しその変換された交流電力を出力可能に構成されている。
【００１９】
詳細には、交流電源１２は、系統電源Ｅから入力される系統電力を直流電力に変換する第１変換部としてのＡＣ／ＤＣ変換器１２ａと、直流電力が入力された場合に当該直流電力を交流電力に変換し、その変換された交流電力を出力する第２変換部としてのＤＣ／ＡＣ変換器１２ｂとを備えている。
【００２０】
ＡＣ／ＤＣ変換器１２ａは、例えば昇圧型であり、２００Ｖの系統電力が入力された場合に、予め定められた第１直流電力値Ｐ１（例えば数ｋＷ）の直流電力（以降第１直流電力という）を出力可能に構成されている。具体的には、ＡＣ／ＤＣ変換器１２ａは、第１スイッチング素子１２ａａを有し、当該第１スイッチング素子１２ａａを予め定められた特定デューティ比（パルス幅）で周期的にＯＮ／ＯＦＦさせることにより第１直流電力を出力する。第１直流電力の電圧値は例えば数百Ｖである。なお、ＡＣ／ＤＣ変換器１２ａには、第１直流電力値Ｐ１よりも所定のマージン分だけ高い定格電力を有するものが採用されている。なお、ＡＣ／ＤＣ変換器１２ａは、第１スイッチング素子１２ａａを動作させるドライバ回路１２ａｂを備えている。
【００２１】
ここで、ＡＣ／ＤＣ変換器１２ａは、第１スイッチング素子１２ａａのＯＮ／ＯＦＦのデューティ比を可変制御することにより、出力する直流電力の電力値を可変（変更可能）に構成されている。詳細には、ＡＣ／ＤＣ変換器１２ａは、Ｐｍｉｎ〜Ｐｍａｘの電力値の直流電力を出力可能に構成されている。この場合、第１直流電力値Ｐ１は、最小電力値Ｐｍｉｎと最大電力値Ｐｍａｘとの間の値であり、ＡＣ／ＤＣ変換器１２ａの定格電力は最大電力値Ｐｍａｘである。
【００２２】
ＤＣ／ＡＣ変換器１２ｂは、第２スイッチング素子１２ｂａと、当該第２スイッチング素子１２ｂａを動作させるドライバ回路１２ｂｂとを備えている。ドライバ回路１２ｂｂは、第２スイッチング素子１２ｂａを周期的にＯＮ／ＯＦＦさせることにより直流電力を交流電力に変換する。
【００２３】
交流電源１２から出力された交流電力は、非接触で受電機器２１に伝送され、受電機器２１に設けられた車両用バッテリ２２（蓄電装置）の充電に用いられる。具体的には、非接触電力伝送装置１０は、送電機器１１及び受電機器２１間の電力伝送を行うものとして、送電機器１１に設けられた送電器１３と、受電機器２１に設けられた受電器２３とを備えている。
【００２４】
送電器１３及び受電器２３は同一の構成となっており、両者は磁場共鳴可能に構成されている。詳細には、送電器１３は、互いに並列に接続された１次側コイル１３ａ及び１次側コンデンサ１３ｂからなる共振回路を有している。受電器２３は、互いに並列に接続された２次側コイル２３ａ及び２次側コンデンサ２３ｂからなる共振回路を有している。両共振回路の共振周波数は同一に設定されている。
【００２５】
かかる構成によれば、送電器１３及び受電器２３の相対位置が磁場共鳴可能な位置にある状況において、交流電力が送電器１３（１次側コイル１３ａ）に入力された場合、送電器１３と受電器２３（２次側コイル２３ａ）とが磁場共鳴する。これにより、受電器２３は送電器１３からのエネルギの一部を受け取る。すなわち、受電器２３は、送電器１３から交流電力を受電する。
【００２６】
ちなみに、交流電源１２から出力される交流電力の周波数（第２スイッチング素子１２ｂａのスイッチング周波数）は、送電器１３及び受電器２３間にて電力伝送が可能となるよう、送電器１３及び受電器２３の共振周波数に対応させて設定されている。例えば、交流電力の周波数は、送電器１３及び受電器２３の共振周波数と同一に設定されている。なお、これに限られず、電力伝送が可能な範囲内で、交流電力の周波数と、送電器１３及び受電器２３の共振周波数とが、ずれていてもよい。
【００２７】
受電機器２１は、受電器２３によって受電された交流電力が入力されるものであって当該交流電力を整流する整流器２４（ＡＣ／ＤＣ変換部）を備えている。整流器２４によって整流された直流電力が車両用バッテリ２２に入力されることによって、車両用バッテリ２２が充電される。車両用バッテリ２２は、互いに直列に接続された複数の電池セルで構成されている。
【００２８】
受電機器２１は、受電器２３によって受電された交流電力を検知する検知部２５を備えている。検知部２５は、その検知結果を、受電機器２１に設けられた受電側コントローラ２６に送信する。なお、図示は省略するが、受電機器２１は、車両用バッテリ２２の充電状態（ＳＯＣ）を検知し、その検知結果を受電側コントローラ２６に送信するＳＯＣセンサを備えている。
【００２９】
送電機器１１は、当該送電機器１１の各種制御を行う送電側コントローラ１４を備えている。詳細には、送電側コントローラ１４は、ＡＣ／ＤＣ変換器１２ａのドライバ回路１２ａｂやＤＣ／ＡＣ変換器１２ｂのドライバ回路１２ｂｂ等の各種制御を行う。例えば、送電側コントローラ１４は、ＡＣ／ＤＣ変換器１２ａのドライバ回路１２ａｂに対して、直流電力の出力のＯＮ／ＯＦＦを指示したり、設定電力値を指示したりする。ＡＣ／ＤＣ変換器１２ａのドライバ回路１２ａｂは、設定電力値が指示された場合、当該設定電力値の直流電力が出力されるように第１スイッチング素子１２ａａのＯＮ／ＯＦＦのデューティ比を調整する。なお、本実施形態では、送電側コントローラ１４が「制御部」に対応する。
【００３０】
送電側コントローラ１４と受電側コントローラ２６とは、互いに無線通信可能に構成されている。送電側コントローラ１４と受電側コントローラ２６は、互いに情報のやり取りを通じて、電力伝送の開始又は終了等を行う。
【００３１】
図１に示すように、送電機器１１は、送電側コントローラ１４等に電力供給を行う制御電源３０と、制御電源３０から電力供給を受けるものであってドライバ回路１２ｂｂに電力供給を行うドライバ用電源３１とを備えている。
【００３２】
制御電源３０は、ＡＣ／ＤＣ変換器１２ａに対して並列に設けられており、系統電源Ｅから系統電力が入力されるように構成されている。制御電源３０は、系統電力が入力されている場合には、当該系統電力を用いて、送電側コントローラ１４の動作電力や、ドライバ用電源３１の動作電力を生成し、当該動作電力を送電側コントローラ１４やドライバ用電源３１に対して出力する。
【００３３】
ドライバ用電源３１は、制御電源３０からの電力を用いてドライバ回路１２ｂｂの動作電力を生成し、その動作電力をドライバ回路１２ｂｂに出力する。なお、ドライバ用電源３１は、例えば絶縁トランス等を有している。この場合、絶縁トランスの変換比は任意であるが、例えば１であってもよい。
【００３４】
なお、ＡＣ／ＤＣ変換器１２ａのドライバ回路１２ａｂは、ドライバ用電源３１から電力供給を受けてもよいし、ドライバ用電源３１とは別に設けられた専用のドライバ用電源から電力供給を受けてもよい。
【００３５】
送電機器１１は、制御電源３０からの電力供給に基づいて動作するものであって、ＡＣ／ＤＣ変換器１２ａ及びＤＣ／ＡＣ変換器１２ｂを冷却する冷却部としてのファン３２を備えている。制御電源３０とファン３２とを接続する電力線上には、ファン３２への電力供給のＯＮ／ＯＦＦを切り替えるスイッチ３３が設けられている。スイッチ３３は、初期状態（通常状態）ではＯＮ状態となっている。
【００３６】
図１に示すように、ＤＣ／ＡＣ変換器１２ｂは、ＡＣ／ＤＣ変換器１２ａ又は制御電源３０から電力供給が行われるように構成されている。詳細には、送電機器１１は、ＤＣ／ＡＣ変換器１２ｂの電力の入力元を、ＡＣ／ＤＣ変換器１２ａ又は制御電源３０に切り替える切替部としての切替リレー３４を備えている。なお、ＤＣ／ＡＣ変換器１２ｂの電力の入力元とは、ＤＣ／ＡＣ変換器１２ｂの入力端の接続先とも言える。
【００３７】
ここで、制御電源３０の出力可能な電力値について詳細に説明する。制御電源３０は、当該制御電源３０が電力供給を行う対象となっている各種電子部品（本実施形態では、送電側コントローラ１４，ドライバ用電源３１及びファン３２）に対して動作電力を出力し、且つ、ＤＣ／ＡＣ変換器１２ｂに対して、第１直流電力値Ｐ１及び最小電力値Ｐｍｉｎの双方よりも小さい第２直流電力値Ｐ２の直流電力である第２直流電力を出力可能に構成されている。詳細には、制御電源３０が出力可能な最大電力値（定格電力）は、電力供給対象の各種電子部品の動作電力の電力値の和と、第２直流電力値Ｐ２とを合わせた値よりも大きく設定されている。制御電源３０は、当該制御電源３０がＤＣ／ＡＣ変換器１２ｂの電力の入力元となっている場合には、電力供給対象に電力供給を行いつつ、ＤＣ／ＡＣ変換器１２ｂに第２直流電力を出力する。
【００３８】
かかる構成によれば、ＡＣ／ＤＣ変換器１２ａとＤＣ／ＡＣ変換器１２ｂとが接続され、ＤＣ／ＡＣ変換器１２ｂに第１直流電力が入力されている場合、当該第１直流電力を変換することによって得られた交流電力（以降第１交流電力という）がＤＣ／ＡＣ変換器１２ｂから出力される。一方、制御電源３０とＤＣ／ＡＣ変換器１２ｂとが接続され、ＤＣ／ＡＣ変換器１２ｂに第２直流電力が入力されている場合、当該第２直流電力を変換することによって得られた交流電力（以降第２交流電力という）がＤＣ／ＡＣ変換器１２ｂから出力される。第２交流電力は、第１交流電力よりも電力値が小さい交流電力である。
【００３９】
なお、制御電源３０の出力電圧値は、第１直流電力の電圧値よりも小さく、例えば１２Ｖや２４Ｖである。また、本実施形態においては、制御電源３０の出力電圧値は固定値であり、制御電源３０からＤＣ／ＡＣ変換器１２ｂに向けて出力される直流電力の電力値は固定値（第２直流電力値Ｐ２）であるとする。つまり、制御電源３０は、仮に送電側コントローラ１４から任意の設定電力値が指示された場合であっても、第２直流電力値Ｐ２の直流電力である第２直流電力をＤＣ／ＡＣ変換器１２ｂに向けて出力する。
【００４０】
送電側コントローラ１４は、予め定められた充電シーケンス開始条件が成立した場合には、受電側コントローラ２６と無線通信を行いながら、車両用バッテリ２２を充電するための充電制御処理を実行する。当該充電制御処理について以下に詳細に説明する。なお、充電シーケンス開始条件は任意であるが、例えば受電側コントローラ２６から要求があった場合や、所定のセンサなどによって車両が検知された場合等が考えられる。
【００４１】
図２に示すように、まずステップＳ１０１にて、送電側コントローラ１４は、制御電源３０からファン３２への電力供給を停止させる。詳細には、送電側コントローラ１４は、スイッチ３３を、ＯＮ状態からＯＦＦ状態に切り替える。
【００４２】
その後、ステップＳ１０２では、送電側コントローラ１４は、制御電源３０とＤＣ／ＡＣ変換器１２ｂとが接続されるように切替リレー３４を制御する。これにより、ＤＣ／ＡＣ変換器１２ｂに第２直流電力が入力される。そして、ステップＳ１０３にて、送電側コントローラ１４は、ＤＣ／ＡＣ変換器１２ｂから第２交流電力が出力されるようにＤＣ／ＡＣ変換器１２ｂのドライバ回路１２ｂｂを制御する。
【００４３】
また、送電側コントローラ１４は、受電側コントローラ２６に対して第２交流電力の出力中である通知を行う。受電側コントローラ２６は、上記通知を受信した場合には、検知部２５の検知結果に基づいて、受電器２３にて予め定められた閾値電力値以上の交流電力が受電されたか否かを判定し、交流電力が受電された場合には、受電確認信号を送電側コントローラ１４に送信する。なお、上記閾値電力値は「０」以外であれば任意であるが、例えば第２交流電力の電力値に対して閾値伝送効率を乗算した値等が考えられる。
【００４４】
続くステップＳ１０４では、送電側コントローラ１４は、所定期間内に受電側コントローラ２６からの受電確認信号を受信したか否かを判定する。
送電側コントローラ１４は、所定期間内に受電確認信号を受信しない場合には、送電機器１１（送電器１３）及び受電機器２１（受電器２３）間の電力伝送に何らかの異常があるとして、ステップＳ１０５の異常対応処理を実行して、本充電制御処理を終了する。異常対応処理では、送電側コントローラ１４は、例えば、第２交流電力の出力を停止したり、エラー報知を行ったりする。
【００４５】
送電側コントローラ１４は、所定期間内に受電確認信号を受信した場合には、ステップＳ１０６に進み、第２交流電力の出力を停止させる。第２交流電力の出力を停止させる具体的な処理としては、例えば第２スイッチング素子１２ｂａの周期的なＯＮ／ＯＦＦが停止するようドライバ回路１２ｂｂを制御する処理であってもよいし、切替リレー３４の切替先をフローティングにする処理であってもよい。
【００４６】
その後、ステップＳ１０７では、送電側コントローラ１４は、ＡＣ／ＤＣ変換器１２ａとＤＣ／ＡＣ変換器１２ｂとが接続されるように切替リレー３４を制御する。そして、送電側コントローラ１４は、ステップＳ１０８にて、スイッチ３３を制御して、制御電源３０からファン３２への電力供給を開始する。これにより、ファン３２が動作する。
【００４７】
そして、送電側コントローラ１４は、ステップＳ１０９にて、ＤＣ／ＡＣ変換器１２ｂから第１交流電力が出力されるようにＡＣ／ＤＣ変換器１２ａのドライバ回路１２ａｂ及びＤＣ／ＡＣ変換器１２ｂのドライバ回路１２ｂｂを制御する。これにより、第１交流電力が送電器１３から受電器２３に向けて伝送され、当該第１交流電力が整流器２４にて整流されて、車両用バッテリ２２に入力される。よって、車両用バッテリ２２の充電が行われる。なお、第１交流電力を用いて行われる車両用バッテリ２２の充電を通常充電という。
【００４８】
その後、ステップＳ１１０では、送電側コントローラ１４は、押し込み充電を行う契機となる押し込み充電条件が成立したか否かを判定する。押し込み充電条件は、例えば車両用バッテリ２２の充電状態（ＳＯＣ）が予め定められた押し込み充電契機状態となることである。
【００４９】
ステップＳ１１０の具体的な処理構成としては任意であるが、例えば受電側コントローラ２６は、車両用バッテリ２２の充電中、ＳＯＣセンサの検知結果に基づいて、車両用バッテリ２２の充電状態を定期的に把握する。そして、受電側コントローラ２６は、車両用バッテリ２２の充電状態が押し込み充電契機状態となったことに基づいて、押し込み充電の要求信号を送電側コントローラ１４に送信する。この場合、送電側コントローラ１４は、上記要求信号を受信した場合に、押し込み充電条件が成立したと判定する。
【００５０】
送電側コントローラ１４は、押し込み充電条件が成立していない場合には、ステップＳ１１２に進む一方、押し込み充電条件が成立した場合には、ステップＳ１１１にて、押し込み充電を開始して、ステップＳ１１２に進む。詳細には、送電側コントローラ１４は、まず第１交流電力の出力を停止させる。その後、送電側コントローラ１４は、制御電源３０からファン３２への電力供給が停止するようにスイッチ３３を制御し、且つ、ＤＣ／ＡＣ変換器１２ｂの接続先が制御電源３０となるように切替リレー３４を切り替える。そして、送電側コントローラ１４は、ＤＣ／ＡＣ変換器１２ｂから第２交流電力が出力されるようにドライバ回路１２ｂｂを制御する。これにより、通常充電時よりも電力値が小さい電力で車両用バッテリ２２の充電が行われる。なお、押し込み充電条件が成立し、且つ、終了条件が成立していない状態での車両用バッテリ２２の充電を、押し込み充電とする。
【００５１】
ステップＳ１１２では、送電側コントローラ１４は、車両用バッテリ２２の充電の終了条件が成立したか否かを判定する。終了条件は、例えば車両用バッテリ２２の充電状態が終了契機状態となることや、異常が発生した場合等である。
【００５２】
送電側コントローラ１４は、終了条件が成立している場合には、ステップＳ１１３にて、交流電力の出力を停止させる処理を実行し、本充電制御処理を終了する。一方、送電側コントローラ１４は、終了条件が成立していない場合には、ステップＳ１１４に進み、押し込み充電中か否かを判定する。送電側コントローラ１４は、押し込み充電中である場合にはステップＳ１１２に戻る一方、押し込み充電中でない場合、すなわち通常充電中である場合にはステップＳ１１０に戻る。
【００５３】
次に本実施形態の作用について図３を用いて説明する。図３は、ＡＣ／ＤＣ変換器１２ａ及び制御電源３０における設定電力値に対する出力電力値の関係を示すグラフである。換言すれば、図３のグラフは、仮にＡＣ／ＤＣ変換器１２ａ及び制御電源３０が、ＤＣ／ＡＣ変換器１２ｂに向けて設定電力値の直流電力が出力されるように動作した場合に、当該ＡＣ／ＤＣ変換器１２ａ及び制御電源３０から実際に出力される直流電力の電力値を示すグラフである。
【００５４】
図３の２点鎖線に示すように、ＡＣ／ＤＣ変換器１２ａはＰｍｉｎ〜Ｐｍａｘの直流電力を出力可能であるため、設定電力値がＰｍｉｎ〜Ｐｍａｘの範囲内においては、ＡＣ／ＤＣ変換器１２ａから、設定電力値と同一電力値の直流電力が出力される。そして、第１直流電力値Ｐ１は、最小電力値Ｐｍｉｎと最大電力値Ｐｍａｘとの間の値であるため、ＡＣ／ＤＣ変換器１２ａを用いることにより、第１直流電力の出力が可能となっている。
【００５５】
しかしながら、設定電力値が最小電力値Ｐｍｉｎよりも小さくなると、ＡＣ／ＤＣ変換器１２ａの第１スイッチング素子１２ａａのパルス幅の制御が困難になり、且つ、第１スイッチング素子１２ａａの立ち上がり時間や立ち下がり時間の影響を無視できなくなる。すると、図３の２点鎖線に示すように、ＡＣ／ＤＣ変換器１２ａは、設定電力値と同一の電力値の直流電力を出力することができない。
【００５６】
一方、図３の１点鎖線に示すように、制御電源３０は、上記最小電力値Ｐｍｉｎよりも小さい第２直流電力値Ｐ２の直流電力（第２直流電力）を出力する。このため、制御電源３０を用いることにより、ＡＣ／ＤＣ変換器１２ａでは出力できない程小さな電力値の直流電力の出力が可能となっている。
【００５７】
以上詳述した本実施形態によれば以下の効果を奏する。
（１）送電機器１１は、直流電力を交流電力に変換し、その交流電力を送電器１３（１次側コイル１３ａ）に出力するＤＣ／ＡＣ変換器１２ｂを備えている。送電機器１１は、ＤＣ／ＡＣ変換器１２ｂに対して直流電力を出力するものとして、系統電力を第１直流電力に変換可能なＡＣ／ＤＣ変換器１２ａ、及び、送電側コントローラ１４等に電力供給を行うものであって第１直流電力よりも小さい電力値の第２直流電力を出力可能な制御電源３０の２つを備えている。そして、送電機器１１は、ＤＣ／ＡＣ変換器１２ｂの電力の入力元を、ＡＣ／ＤＣ変換器１２ａ又は制御電源３０に切り替える切替リレー３４を備えている。ＤＣ／ＡＣ変換器１２ｂは、ＡＣ／ＤＣ変換器１２ａから第１直流電力が入力されている場合には第１交流電力を出力し、制御電源３０から第２直流電力が入力されている場合には、第１交流電力よりも電力値が小さい第２交流電力を出力する。これにより、交流電源１２（ＤＣ／ＡＣ変換器１２ｂ）から電力値が異なる第１交流電力及び第２交流電力の双方を好適に出力させることができる。
【００５８】
また、第２交流電力を出力させるのに、送電側コントローラ１４に電力供給を行う制御電源３０が流用されているため、別途専用の電源を用いる構成と比較して、構成の簡素化を図ることができる。
【００５９】
（２）受電機器２１は車両に搭載されており、受電器２３によって受電された交流電力は、車両用バッテリ２２の充電に用いられる。この場合、車両に搭載される車両用バッテリ２２の容量は、携帯電話等に搭載されるバッテリの容量と比較して、オーダが異なる程大きい場合がある。このような大容量の車両用バッテリ２２の充電を短期間で行うためには、交流電源１２は、比較的高い電力値の交流電力（第１交流電力）を出力する必要がある。そのため、ＡＣ／ＤＣ変換器１２ａには、定格電力が比較的高いものが採用される。しかしながら、このようなＡＣ／ＤＣ変換器１２ａは、上述した通り、小さい電力値の直流電力を出力することが困難である。このため、第２交流電力を用いた押し込み充電等を好適に行うことができない不都合が生じ得る。
【００６０】
これに対して、本実施形態によれば、制御電源３０を用いることによって、ＡＣ／ＤＣ変換器１２ａが出力可能な最小電力値Ｐｍｉｎよりも小さい電力値の第２直流電力をＤＣ／ＡＣ変換器１２ｂに入力させることができる。よって、上記不都合を回避できる。
【００６１】
（３）ＡＣ／ＤＣ変換器１２ａは昇圧型である。昇圧型のＡＣ／ＤＣ変換器１２ａは、昇降圧型のものと比較して、小型なものとなり易い。これにより、昇降圧型のものを採用する構成と比較して、ＡＣ／ＤＣ変換器１２ａの小型化を図ることができる。
【００６２】
ここで、ＡＣ／ＤＣ変換器１２ａが昇圧型である場合、当該ＡＣ／ＤＣ変換器１２ａが出力可能な最小電力値Ｐｍｉｎは大きくなり易い。このため、昇圧型のＡＣ／ＤＣ変換器１２ａでは、押し込み充電や伝送判定で要求される電力値（第２直流電力値Ｐ２）を実現できない場合がある。
【００６３】
これに対して、本実施形態では、上述した通り、ＡＣ／ＤＣ変換器１２ａではなく制御電源３０を用いることにより、押し込み充電や伝送判定で要求される電力値を実現している。よって、ＡＣ／ＤＣ変換器１２ａの小型化を図りつつ、押し込み充電や伝送判定で要求される電力値を実現できる。
【００６４】
（４）制御電源３０は、ＤＣ／ＡＣ変換器１２ｂの電力の入力元が制御電源３０である場合には、送電側コントローラ１４等への電力供給を行いつつ、ＤＣ／ＡＣ変換器１２ｂに第２直流電力を出力する。よって、交流電源１２から第２交流電力を出力しようとして送電側コントローラ１４への電力供給が停止されるといった不都合を回避できる。
【００６５】
（５）送電側コントローラ１４は、ＤＣ／ＡＣ変換器１２ｂの電力の入力元が制御電源３０である場合に、送電器１３から受電器２３への電力伝送が行われている（詳細には受電器２３にて交流電力が受電されている）か否かの伝送判定を行う（ステップＳ１０４）。そして、送電側コントローラ１４は、送電器１３から受電器２３への電力伝送が行われていると判定した場合には、ＤＣ／ＡＣ変換器１２ｂの電力の入力元が制御電源３０からＤＣ／ＡＣ変換器１２ｂに切り替わるように切替リレー３４を制御する。これにより、比較的電力値が小さい第２交流電力を用いて伝送判定が行われるため、当該伝送判定に係る電力損失の軽減を図ることができる。そして、伝送判定の判定結果が肯定判定である場合には、ＤＣ／ＡＣ変換器１２ｂの電力の入力元がＡＣ／ＤＣ変換器１２ａに切り替わるため、送電機器１１から受電機器２１に向けて、比較的電力値が大きい第１交流電力の送電が可能となる。
【００６６】
特に、比較的電力値が大きい第１交流電力を用いて伝送判定を行う場合、各コイル１３ａ，２３ａの位置関係によっては、伝送効率が過度に低くなることに起因して反射波電力の電力値が過度に大きくなり、交流電源１２への負担が大きくなる場合がある。これに対して、本実施形態では、第２交流電力を用いて伝送判定を行うことにより、仮に上記のように伝送効率が過度に低い場合であっても、交流電源１２に過度に負担が付与されることを抑制できる。
【００６７】
（６）送電機器１１は、制御電源３０からの電力供給に基づいて動作するものであってＤＣ／ＡＣ変換器１２ｂを冷却するファン３２を備えている。送電側コントローラ１４は、ＤＣ／ＡＣ変換器１２ｂの電力の入力元が制御電源３０である場合には、制御電源３０からファン３２への電力供給を停止させる。これにより、制御電源３０の電力負担の軽減を図ることができる。この場合、ＤＣ／ＡＣ変換器１２ｂには、比較的小さい電力値の直流電力である第２直流電力が入力されるため、当該ＤＣ／ＡＣ変換器１２ｂの温度上昇は比較的小さい。よって、ファン３２への電力供給を停止することによる悪影響は小さい。
【００６８】
なお、上記実施形態は以下のように変更してもよい。
○  図４に示すように、ドライバ用電源３１と切替リレー３４とが接続されていてもよい。この場合、ＤＣ／ＡＣ変換器１２ｂは、ドライバ用電源３１を介して、制御電源３０に接続されている。そして、ＤＣ／ＡＣ変換器１２ｂは、ドライバ用電源３１を介して、制御電源３０から電力供給を受ける。つまり、ＤＣ／ＡＣ変換器１２ｂに対して制御電源３０から第２直流電力が入力されている場合（ＤＣ／ＡＣ変換器１２ｂの電力の入力元が制御電源３０である場合）とは、制御電源３０とＤＣ／ＡＣ変換器１２ｂとが直接接続されている場合や、上記のようにドライバ用電源３１を介して接続されている場合を含む。
【００６９】
なお、送電機器１１は、ＤＣ／ＡＣ変換器１２ｂのドライバ回路１２ｂｂに電力供給を行うドライバ用電源３１とは別に、制御電源３０から電力供給を受けるものであって他のドライバ回路に電力供給を行う他のドライバ用電源を備えていてもよい。この場合、上記他のドライバ用電源がＤＣ／ＡＣ変換器１２ｂに第２直流電力を出力する構成であってもよい。また、ＤＣ／ＡＣ変換器１２ｂは、ドライバ用電源に限られず、所定の電子部品を介して制御電源３０から電力供給を受けてもよい。
【００７０】
○  制御電源３０は、バッテリ等の蓄電装置であってもよい。
○  制御電源３０は、送電側コントローラ１４に電力供給を行うものであったが、電力供給対象はこれに限られず、例えば送電機器１１に設けられた別の電子部品を制御する制御コントローラに電力供給を行うものであってもよい。また、制御電源３０が電力を供給する「制御部」の制御対象は任意である。
【００７１】
○  制御電源３０は、ＤＣ／ＡＣ変換器１２ｂと接続されている場合には、送電側コントローラ１４への電力供給を停止してもよい。この場合、送電機器１１に別途バッテリやキャパシタ等の蓄電装置を搭載し、送電側コントローラ１４は、制御電源３０からの電力供給が停止中である場合には、上記蓄電装置の電力を用いて動作するとよい。
【００７２】
○  実施形態では、送電側コントローラ１４は、通常充電を行う前に伝送判定を行う構成であったが、これに限られず、上記伝送判定を省略してもよい。
○  伝送判定で用いられる交流電力の電力値と、押し込み充電で用いられる交流電力の電力値とを異ならせてもよい。詳細には、例えば制御電源３０は、ＤＣ／ＡＣ変換器１２ｂに出力する直流電力の電力値を可変に構成されているとよい。そして、送電側コントローラ１４は、伝送判定時には制御電源３０からＤＣ／ＡＣ変換器１２ｂに向けて伝送判定用電力が出力されるように制御電源３０に指示し、押し込み充電時には制御電源３０からＤＣ／ＡＣ変換器１２ｂに向けて押し込み充電用電力が出力されるように制御電源３０に指示するとよい。
【００７３】
○  実施形態では、伝送判定及び押し込み充電の双方に制御電源３０を用いたが、これに限られず、伝送判定及び押し込み充電のいずれか一方のみに制御電源３０を用いて、他方にはＡＣ／ＤＣ変換器１２ａを用いてもよい。
【００７４】
○  第２交流電力の用途は、伝送判定や押し込み充電に限られず、任意である。
○  ＡＣ／ＤＣ変換器１２ａは、昇圧型に限られず、昇降圧型であってもよい。但し、交流電源１２の小型化の観点に着目すれば、ＡＣ／ＤＣ変換器１２ａは昇圧型である方が好ましい。
【００７５】
○  ＡＣ／ＤＣ変換器１２ａは、出力する直流電力の電力値を可変に構成されていたが、これに限られず、第１直流電力のみを出力する構成であってもよい。
○  外部電力は、系統電力に限られず、任意である。例えば、外部電力は直流電力であってもよい。この場合、ＡＣ／ＤＣ変換器１２ａに代えて、ＤＣ／ＤＣコンバータを設けるとよい。なお、本別例においては、ＤＣ／ＤＣコンバータが第１変換部に対応する。
【００７６】
○  ＡＣ／ＤＣ変換器１２ａ及びＤＣ／ＡＣ変換器１２ｂを冷却する冷却部としてファン３２を用いたが、これに限られず、冷却するものであれば任意である。例えば、冷却水を循環させるポンプなどであってもよい。
【００７７】
○  また、冷却対象は、ＤＣ／ＡＣ変換器１２ｂのみであってもよい。要は、冷却対象は、少なくともＤＣ／ＡＣ変換器１２ｂを含んでいればよい。
○  ＤＣ／ＡＣ変換器１２ｂと制御電源３０とが接続されている場合には、制御電源３０からファン３２への電力供給が停止していたが、これに限られず、当該電力供給を継続してもよい。この場合、制御電源３０は、使用電力（制御電源３０の供給電力）が定格電力を超えないように、定格電力が十分に大きいもので構成されているとよい。
【００７８】
○  制御電源３０と切替リレー３４との間に、ＤＣ／ＡＣ変換器１２ｂの第２スイッチング素子１２ｂａのスイッチングノイズを除去するフィルタ回路を設けてもよい。詳細には、フィルタ回路は、第２スイッチング素子１２ｂａのスイッチング周波数以上のノイズを除去するローパスフィルタ等で構成されているとよい。これにより、ＤＣ／ＡＣ変換器１２ｂにて生じ得るノイズが制御電源３０に伝搬されることを抑制でき、それを通じて制御電源３０から各種電子部品（例えば送電側コントローラ１４等）にノイズが伝搬されることを抑制できる。
【００７９】
○  送電機器１１は、ＤＣ／ＡＣ変換器１２ｂと送電器１３との間に設けられた１次側インピーダンス変換器を備えていてもよい。同様に、受電機器２１は、受電器２３と整流器２４との間に設けられた２次側インピーダンス変換器を備えていてもよいし、整流器２４と車両用バッテリ２２との間に設けられたＤＣ／ＤＣコンバータを備えていてもよい。
【００８０】
○  検知部２５は、整流器２４によって整流された直流電力を検知してもよい。
○  ＡＣ／ＤＣ変換器１２ａ及びＤＣ／ＡＣ変換器１２ｂの具体的な構成は任意であり、各スイッチング素子１２ａａ，１２ｂａの個数は１つでも複数でもよい。
【００８１】
例えば、ＤＣ／ＡＣ変換器１２ｂは、４つの第２スイッチング素子１２ｂａを有するブリッジ回路を備えていてもよい。この場合、ＤＣ／ＡＣ変換器１２ｂは、４つの第２スイッチング素子１２ｂａの全てがＯＮ／ＯＦＦするフルブリッジモードで第１交流電力を出力し、４つの第２スイッチング素子１２ｂａのうち２つの第２スイッチング素子１２ｂａが交互にＯＮ／ＯＦＦするハーフブリッジモードで第２交流電力を出力するとよい。これにより、より好適に第２交流電力を出力できる。
【００８２】
○  伝送判定の具体的な処理内容としては任意である。例えば、受電側コントローラ２６は、第２交流電力の出力中である旨の通知を受けた後、受電器２３によって交流電力が受電されていない場合には受電不可信号を送信してもよい。この場合、送電側コントローラ１４は、受電不可信号を受信した場合には、所定期間を待つことなく異常対応処理を実行してもよい。
【００８３】
○  充電制御処理の実行主体は、送電側コントローラ１４に限られず任意であり、例えば受電側コントローラ２６が実行してもよい。この場合、送電側コントローラ１４は、上記充電制御処理に必要な情報を適宜受電側コントローラ２６に送信するとよい。また、受電側コントローラ２６は、必要に応じて送電側コントローラ１４に対して各種指示を行い、送電側コントローラ１４は、上記各種指示に従って、ＤＣ／ＡＣ変換器１２ｂやＡＣ／ＤＣ変換器１２ａ等の制御を行うとよい。
【００８４】
○  系統電源Ｅと制御電源３０との間に絶縁トランスが設けられていてもよい。また、制御電源３０とドライバ用電源３１との間に絶縁トランスが設けられていてもよい。
○  第２直流電力値Ｐ２は、最小電力値Ｐｍｉｎよりも大きくてもよい。この場合、第２直流電力値Ｐ２が最小電力値Ｐｍｉｎに近い場合には、ＡＣ／ＤＣ変換器１２ａからの出力電圧波形や出力電流波形に歪みが生じ得る。このため、第２直流電力値Ｐ２が最小電力値Ｐｍｉｎよりも大きい場合であっても、第２直流電力の出力には制御電源３０を用いた方が好ましい。
【００８５】
○  交流電源１２は、電圧源に限られず、電力源や電流源であってもよい。
○  送電器１３の共振周波数と受電器２３の共振周波数とは同一に設定されていたが、これに限られず、電力伝送が可能な範囲内で両者を異ならせてもよい。
【００８６】
○  送電器１３と受電器２３とは同一の構成であったが、これに限られず、異なる構成であってもよい。
○  各コンデンサ１３ｂ，２３ｂを省略してもよい。この場合、各コイル１３ａ，２３ａの寄生容量を用いて磁場共鳴させる。
【００８７】
○  受電機器２１の搭載対象は任意であり、例えばロボットや電動車いす等に搭載されてもよい。
○  実施形態では、１次側コイル１３ａと１次側コンデンサ１３ｂとは並列に接続されていたが、これに限られず、両者は直列に接続されていてもよい。同様に、２次側コイル２３ａと２次側コンデンサ２３ｂとは、直列に接続されていてもよい。
【００８８】
○  実施形態では、非接触の電力伝送を実現させるために磁場共鳴を用いたが、これに限られず、電磁誘導を用いてもよい。
○  実施形態では、受電器２３にて受電された交流電力は車両用バッテリ２２の充電に用いられたが、これに限られず、例えば別の用途に用いてもよい。
【００８９】
○  送電器１３は、１次側コイル１３ａ及び１次側コンデンサ１３ｂからなる共振回路と、その共振回路と電磁誘導で結合する１次側結合コイルとを有してもよい。同様に、受電器２３は、２次側コイル２３ａ及び２次側コンデンサ２３ｂからなる共振回路と、その共振回路と電磁誘導で結合する２次側結合コイルとを有してもよい。
【００９０】
次に、上記実施形態及び別例から把握できる好適な一例について以下に記載する。
（イ）前記第１変換部は、出力する直流電力の電力値を変更可能に構成されており、前記第１直流電力の電力値は、前記第１変換部が出力可能な最小電力値よりも大きく、前記第２直流電力の電力値は、前記最小電力値よりも小さい請求項１〜４のうちいずれか一項に記載の送電機器。
【００９１】
（ロ）前記制御電源から電力供給を受けるものであって、前記送電機器に設けられたドライバ回路に対して電力供給を行うドライバ用電源を備え、前記制御電源は、前記ドライバ用電源を介して前記第２変換部に接続される請求項１〜４及び（イ）のうちいずれか一項に記載の送電機器。
【００９２】
（ハ）前記制御電源と前記切替部との間にはフィルタ回路が設けられている請求項１〜４、（イ）、（ロ）のうちいずれか一項に記載の送電機器。
【符号の説明】
【００９３】
１０…非接触電力伝送装置、１１…送電機器、１２…交流電源、１２ａ…ＡＣ／ＤＣ変換器（第１変換部）、１２ｂ…ＤＣ／ＡＣ変換器（第２変換部）、１３ａ…１次側コイル、１４…送電側コントローラ（制御部）、２１…受電機器、２２…車両用バッテリ、２３ａ…２次側コイル、３０…制御電源、３１…ドライバ用電源、３２…ファン、３４…切替リレー。
【図１】
2015186377.tif 000003
【図２】
2015186377.tif 000004
【図３】
2015186377.tif 000005
【図４】
2015186377.tif 000006